(57)【要約】【課題】スイッチング・トランスの二次側に設けられたフィードバック回路が二次側直流電圧値が所定値を超えたことを検出するとフォト・カプラ内の発光ダイオードを発光させて制御信号を発し、フォト・カプラ内のフォト・トランジスタを介してこの制御信号を受けたスイッチング制御回路はスイッチング動作を抑制方向に制御し、二次側直流電圧の上昇を抑えるように構成されているスイッチング電源回路において、フォト・カプラにかなりな電流伝達率のばらつきが認められても、それが故にスイッチング電源回路の基本的な動作そのものが損なわれないようにする。【解決手段】フィードバック回路21とは別個独立にスイッチング・トランス17の二次側直流電圧値を検出する電流伝達率特性補償回路32を設ける。電流伝達率特性補償回路32は所定電圧値に対する検出された二次側直流電圧値の差に基づき、フォト・カプラ22内の発光素子LED に流す電流を可変することで、実効的にフォト・カプラ22の電流伝達率特性を補償する。【選択図】図１
2007312556.tif 000002
【特許請求の範囲】
【請求項１】
電源からスイッチング・トランスの一次巻線に供給される直流電流をスイッチング素子のオン・オフにより断続することで二次巻線に現れる脈流を整流すると共に、該スイッチング・トランスの二次側に設けられたフィードバック回路が整流された二次側直流電圧値を監視し、該二次側直流電圧値が所定電圧値を超えるとフォト・カプラ内の発光素子に電流を流して発光させることで該スイッチング・トランスの一次側に設けられているスイッチング制御回路に制御信号を送る一方、該フォト・カプラ内の受光素子を介してこの制御信号を受けた該スイッチング制御回路はスイッチング動作を抑制方向に制御し、上記二次側直流電圧の上昇を抑えるように構成されているスイッチング電源回路であって；
上記フィードバック回路とは別個独立に上記スイッチング・トランスの上記二次側直流電圧値を検出し、上記所定電圧値に対する該検出された二次側直流電圧値の差に基づき、上記フォト・カプラ内の上記発光素子に流す電流を可変することで実効的に該フォト・カプラの電流伝達率特性を補償する電流伝達率特性補償回路を設けたこと；
を特徴とするスイッチング電源回路。
【請求項２】
請求項１記載のスイッチング電源回路であって；
ｎを１以上の整数として、上記発光素子と並列にスイッチング・トランジスタと抵抗の直列回路をｎ個設け；
上記電流伝達率特性補償回路は、上記発光素子に流す電流をその時に適当なる値になるように可変する時に、該ｎ個のスイッチング・トランジスタの中から選択された一つまたは複数をオンさせるように構成されていること；
を特徴とするスイッチング電源回路。
【請求項３】
請求項１記載のスイッチング電源回路であって；
ｎを１以上の整数として、上記発光素子と直列に設けた抵抗と並列にスイッチング・トランジスタと抵抗の直列回路をｎ個設け；
上記電流伝達率特性補償回路は、上記発光素子に流す電流をその時に適当なる値になるように可変する時に、該ｎ個のスイッチング・トランジスタの中から選択された一つまたは複数をそれまでのオン状態からオフさせるように構成されていること；
を特徴とするスイッチング電源回路。
【請求項４】
請求項２または３記載のスイッチング電源回路であって；
上記ｎ個の直列回路中の上記抵抗の幾つかずつを、あるいは全てを、互いに異なる抵抗値としたこと；
を特徴とするスイッチング電源回路。
【請求項５】
請求項１記載のスイッチング電源回路であって；
上記電流伝達率特性補償回路は、上記フォト・カプラ内の上記発光素子に流す電流を可変してもなお、上記検出される上記二次側直流電圧値が上記所定電圧値に対し許容範囲以上の差を置く場合には異常と判断し、異常報知回路から該異常の発生を報知させるように構成されていること；
を特徴とするスイッチング電源回路。
【請求項６】
請求項１記載のスイッチング電源回路であって；
上記電流伝達率特性補償回路は、上記フォト・カプラ内の上記発光素子に流す電流を可変してもなお、上記検出される上記二次側直流電圧値が上記所定電圧値に対し許容範囲以上の差を置く場合には異常と判断し、該異常の発生を履歴として不揮発性メモリに記憶するように構成されていること：
を特徴とするスイッチング電源回路。
【発明の詳細な説明】
【技術分野】
【０００１】
本発明はスイッチング・トランスの一次巻線に供給される直流電流を断続することで二次巻線に現れる脈流を整流し、所望の電圧値の直流電流を得るスイッチング電源回路に関し、特に、二次側直流電圧値を定電圧に保つために当該二次側直流電圧値を監視し、これが所定の値を超えるとフォト・カプラを介して一次側のスイッチング制御回路に制御信号を送るフィードバック回路を有し、制御信号を受けたスイッチング制御回路はスイッチング動作を抑制方向に制御して二次側直流電圧の上昇を抑えるように構成されているスイッチング電源回路において、当該フォト・カプラの電流伝達率のばらつきないし変化に起因する制御動作の不具合を改善するための改良に関する。
【背景技術】
【０００２】
上述のようなスイッチング電源回路としては、自励発振型、他励発振型のいずれにおいてもこれまで多くの回路形式が提案されてきた。因みに最近では、簡単な構成で廉価な割に効率の良い回路方式として、例えば下記特許文献１等に認められるような、自励発振型に属するRCC(Ringing Choke Converter)方式のスイッチング電源回路(以下、単に“RCC電源回路”と称する）が汎用されるに至っている。
【特許文献１】特開2002-204572号公報
【０００３】
その動作原理は周知でもあるし、後に本発明の望ましい実施形態に関しての説明中でも触れるので、ここでの動作原理自体の説明は省略するが、こうしたRCC電源回路に代表される各種のスイッチング電源回路では、大体どれも、上述のように二次側直流電圧値を定電圧に保つためのフィードバック回路を有している。
【０００４】
このフィードバック回路は二次側直流電圧値を監視し、これが所定の値を超えるとフォト・カプラ内の発光素子（一般には発光ダイオードやレーザ・ダイオード)に電流を流してこれを発光させ、これを一次側に設けられている同じフォト・カプラ内の受光素子(一般にはフォト・トランジスタ)に伝えることでスイッチング制御回路に制御信号を送るように構成されており、当該スイッチング制御回路ではこの制御信号の受信に伴い、スイッチング動作を一次側において抑制的に制御し、もって二次側直流電圧の上昇を抑えるように働く。
【発明の開示】
【発明が解決しようとする課題】
【０００５】
しかし、現状において市販されているフォト・カプラでは、発光ダイオード等の発光素子を上述のようにオン（発光）させるときはともかく、逆にオン状態からターン・オフさせたときに問題が生じ、発光素子の駆動電流が絶たれても実際にフォト・トランジスタ等の受光素子の方がオフになるまでには時間が掛かることが多い。この応答遅れ特性はフォト・カプラの光感度に伴い変化し、光感度が大きい程、大きくなる傾向にあり、また、それまでに発光素子に流していた電流が多かったとき程、大きくなる傾向にある。
【０００６】
そして、このようなフォト・カプラ光感度のばらつき幅は、抵抗やコンデンサ等、他の電子部品の定数公差に比べると遙かに大きく、フォト・カプラの発光素子駆動電流に対して受光素子側に流すことのできる電流比を示した電流伝達率(CTRと言う）で表すと、なんと50〜600％にもなる。
【０００７】
そこで、従来からも一般にフォト・カプラは電流伝達率別にランク分けされて市販されており、特定のランク品を指定して入手することが想定されている。しかし、実際上、ランクによっては極端に入手性が悪くなるものがあり、またランク指定品は選別品であるため、コストも上がってしまう。さらに、例えランク指定による同一ランク内製品においてさえ、電流伝達率のばらつきは相当に大きいものとなっている。
【０００８】
こうしたことから、これまでのスイッチング電源回路では、このようなフォト・カプラの電流伝達率のばらつきに起因し、フォト・トランジスタ側のオン時間にもばらつきを伴う時間遅れが生じ、スイッチング動作に影響を与え、出力すべき所定の電圧値に対して実際の出力電圧値が高くなり過ぎたり、逆に低くなり過ぎたりしてしまい、時には発振動作そのものを行わなくなってしまったりすることがあった。
【０００９】
本発明はこの点に鑑みて成されたもので、フィードバック回路に用いているフォト・カプラにかなりな電流伝達率のばらつきが認められる場合であっても、これを良く許容することができ、スイッチング電源回路の基本的な動作そのものが損なわれないような工夫を開示せんとするものである。
【課題を解決するための手段】
【００１０】
上記目的を達成するため、本発明では、
電源からスイッチング・トランスの一次巻線に供給される直流電流をスイッチング素子のオン・オフにより断続することで二次巻線に現れる脈流を整流すると共に、スイッチング・トランスの二次側に設けられたフィードバック回路が整流された二次側直流電圧値を監視し、この二次側直流電圧値が所定電圧値を超えるとフォト・カプラ内の発光素子に電流を流して発光させることでスイッチング・トランスの一次側に設けられているスイッチング制御回路に制御信号を送る一方、当該フォト・カプラ内の受光素子を介してこの制御信号を受けた当該スイッチング制御回路はスイッチング動作を抑制方向に制御し、二次側直流電圧の上昇を抑えるように構成されているスイッチング電源回路であって；
上記のフィードバック回路とは別個独立にスイッチング・トランスの二次側直流電圧値を検出し、所定電圧値に対する検出された二次側直流電圧値の差に基づき、フォト・カプラ内の発光素子に流す電流を可変することで実効的にフォト・カプラの電流伝達率特性を補償する電流伝達率特性補償回路を設けたこと；
を特徴とするスイッチング電源回路を提案する。
【００１１】
上記の基本構成を満たした上で、本発明の特定の下位態様においては、ｎを１以上の整数として、上記の発光素子と並列にスイッチング・トランジスタと抵抗の直列回路をｎ個設け、上記の電流伝達率特性補償回路は発光素子に流す電流をその時に適当なる値になるように可変する時に、これらｎ個のスイッチング・トランジスタの中から選択された一つまたは複数をオンさせるように構成されているスイッチング電源回路も提案する。
【００１２】
この下位構成に代え、本発明ではまた、ｎを１以上の整数として、上記の発光素子と直列に設けた抵抗と並列にスイッチング・トランジスタと抵抗の直列回路をｎ個設け、上記の電流伝達率特性補償回路は発光素子に流す電流をその時に適当なる値になるように可変する時に、これらｎ個のスイッチング・トランジスタの中から選択された一つまたは複数をそれまでのオン状態からオフさせるように構成されているスイッチング電源回路も提案する。
【００１３】
ここで、上記のようにスイッチング・トランジスタと抵抗の直列回路をｎ個用いる場合には、それらｎ個の直列回路中の抵抗の幾つかずつを、あるいは全てを、互いに異なる抵抗値としたスイッチング電源回路も提案する。
【００１４】
さらに本発明では、電流伝達率特性補償回路は、フォト・カプラ内の発光素子に流す電流を可変してもなお、検出される二次側直流電圧値が所定電圧値に対し許容範囲以上の差を置く場合には異常と判断し、異常報知回路からこの異常の発生を報知させるように構成されているスイッチング電源回路も提案する。
【００１５】
これに代えて、あるいはこれに加えて、本発明また、電流伝達率特性補償回路は、フォト・カプラ内の発光素子に流す電流を可変してもなお、検出される二次側直流電圧値が所定電圧値に対し許容範囲以上の差を置く場合には異常と判断し、こうした異常の発生を履歴として不揮発性メモリに記憶するように構成されているスイッチング電源回路も提案する。
【発明の効果】
【００１６】
本発明によると、フォト・カプラに極めて大幅な電流伝達率のばらつきが認められるような場合においても、相当程度、これを実効的に吸収したのと等価な状態を創り出すことができる。その結果、個々の回路構成に合わせ込んだランク指定品を用いなくても良くなる場合もあり、フォト・カプラの入手性も大いに高まり、コスト低減に大いに寄与する。また、何よりも、スイッチング電源回路の信頼性を大いに高めることができる。
【００１７】
さらに、本発明によると、フォト・カプラの経年変化や周囲環境の温度変化等に基づくフォト・カプラの経時的な電流伝達率変化にも良く追従できる外、回路構成素子の重大ではない異常等に基づく二次側直流電圧値の変化にも対応でき、結果としてフィードバック回路に冗長性を持たせることもできて、製品間での融通性も高めることもできる。
【００１８】
また、本発明の特定の態様において異常報知回路を設ける場合にも、電流伝達率特性補償回路は発光素子に流す電流を可変でき、一方で実際の二次直流電圧値も監視しているので、正確な異常判断をなすことができる、特に、本発明の特定の態様に従い、スイッチング・トランジスタと抵抗の直列回路をｎ個用いる際に当該ｎを増やす程、その時々の異常判断をより正確になすことができる。
【００１９】
当然、履歴を記録するように構成した場合にも、記録された履歴はｎが増す程に正確なものとなり、メンテナンス時に大いに役立つ。異常の発生状況，頻度等から、その異常が致命的なものであるのか、一過性であってとりあえずはそのまま使用可能なものであるのか等の判断もし易くなる。異常が発生したときの発光素子への電流供給状況とか周囲温度を併せて記録すれば、さらに精緻な情報を得ることができる。
【発明を実施するための最良の形態】
【００２０】
図１には本発明を適用して構成されたスイッチング電源回路の望ましい一実施形態が示されており、特にこの実施形態では、限定的ではないものの、既述したRCC電源回路に対する改良となっている。そこで、まずは通常のRCC電源回路と同様であって良い構成部分に就き、動作を追いながら説明を始めると、商用交流電源11をダイオード・ブリッジ等による整流回路12で整流し、平滑コンデンサ13で平滑化された直流電源電圧は分圧抵抗14，15の接続中点を介しスイッチング素子16の制御端子に印加される。スイッチング素子16が電界効果トランジスタで構成されているときには当該制御端子はゲートであり、バイポーラ・トランジスタで構成されているときにはベースとなる。
【００２１】
制御端子に印加される電圧が所定の大きさ以上になると当該スイッチング素子16はターン・オンし、スイッチング・トランス17の一次巻線17aと直列になっている当該スイッチング素子16の主電流通路が導通する。主電流通路はもちろん、スイッチング素子16が電界効果トランジスタの場合にはソース−ドレイン間電流通路であり、バイポーラ・トランジスタの場合にはエミッタ−コレクタ間電流通路である。
【００２２】
スイッチング素子16の主電流通路が導通すると、整流回路12からの直流電源電流が当該スイッチング・トランス17の一次巻線17aに供給され、一次巻線17aに通電されている間に当該スイッチング・トランス17にはエネルギが蓄積されるが、帰還巻線17fに発生する電圧はスイッチング制御回路23にて監視されており、これが所定の電圧になると電界効果トランジスタもしくはバイポーラ・トランジスタで構成された制御トランジスタ24がオンとなり、これがスイッチング素子16の制御端子を例えば接地電位に引き落とす等してスイッチング素子16をターン・オフする。
【００２３】
これにより、スイッチング・トランス17の一次巻線17aへの供給電流が急激に絶たれると、スイッチング・トランス17に蓄積されたエネルギは二次巻線17bに転送され、二次巻線17bに電流を生じさせ、この電流はダイオード19等の整流回路19を介して整流され、平滑コンデンサ20を充電する。
【００２４】
この充電を介して二次巻線エネルギが低減すると、電流は振動し、あたかも逆転するように帰還巻線17fに再び電流を生じ、それにより現れる電圧で帰還回路18を介しスイッチング素子16がターン・オンして、以降、上述した正帰還を伴うスイッチング動作が繰り返され、スイッチング・トランス17の二次側に所定の電圧の直流電圧出力が効率良く得られる。
【００２５】
このような基本動作に加えて、スイッチング・トランス17の二次側にはフィードバック回路21が設けられていて、このフィードバック回路21が二次側の直流電圧値が所定電圧値以上に上昇したことを検出するとフォト・カプラ22内の発光素子（この実施形態では発光ダイオード）LEDに電流が流され、これが発光する。図示のRCC電源回路ではシャント・レギュレータ25が設けられており、二次側直流電圧が上昇し、当該シャント・レギュレータ25のコントロール端子の電圧が予め定められている閾値を超えるとその主電流通路がオンとなり、これによってこの主電流通路に直列に挿入されている発光ダイオードLEDに発光のための電流が供給されるようになっている。
【００２６】
発光ダイオードLEDから発せられ、光に化体した制御信号は、同じフォト・カプラ22内の受光素子、この場合フォト・トランジスタPTを介してスイッチング制御回路23に与えられ、これを受けたスイッチング制御回路23では、上述した基本的な動作に加えて、例えば制御トランジスタ24を強制的にオンさせる等、スイッチング動作を抑制方向に制御し、二次側直流電圧の上昇を抑えるように働く。
【００２７】
なお、一般にスイッチング・トランス17の二次側には複数のタップが設けられ、それらからそれぞれ異なる出力電圧値が取り出されるようになっていて、その中の一つのタップが基準電圧用のタップであって、それに対して図示したようなフィードバック回路21を含む電圧安定化回路が組まれるのが普通であるが、図示の場合には他のタップに関しては図示していない。
【００２８】
しかるに、既に述べたように、ここに用いられているフォト・カプラには極めて幅の広い定数公差が見込まれるため、例えランク品を選別して用いた場合でさえ、その電流伝達率は大幅に異なる結果、従来はフォト・トランジスタPT側のオン時間に問題となる差が生じてしまい、出力電圧が高くなり過ぎたり、逆に低くなり過ぎたり、時には発振動作そのものを行わなくなってしまったりしていた。
【００２９】
そこで本発明では、上記のフィードバック回路21とは別個独立に、スイッチング・トランス17の二次側直流電圧値を検出し、所定電圧値に対する当該検出された二次側直流電圧値の差に基づき、フォト・カプラ22内の発光素子（この実施形態では上述のように発光ダイオード)LEDに流す電流を可変することで、実効的にフォト・カプラ22の電流伝達率特性を実効的に補償する電流伝達率特性補償回路32を設けた。すなわち、発光ダイオードLEDに許容する駆動電流値を可変すれば、例えばフィードバック回路21だけの制御ではスイッチング・トランス二次側直流電圧値を所定電圧値に維持できないような場合にも、これを維持できるようになる。そしてこのことは、結果として、既に述べた通り、電流伝達率に大幅なばらつきのあるフォト・カプラを特にランク品選別によらずとも任意に用い得ることも意味し、これは大幅な省力化、低廉化に繋がる。
【００３０】
本発明により設けられる電流伝達率特性補償回路32は、昨今の技術事情ではマイクロコンピュータ（図中、マイコンと略記）で構成できるが、それが二次側直流電圧値を検出するためのそもそもの二次側直流電圧値の取り込みは、図示のようにスイッチング・トランス17の二次側において適当なる電圧値取込回路31を介して行って良く、この回路部分には当業者において様々な回路を組むことができよう。もっとも、実質的にはその一例を図示しているように、単に受動素子のみによる簡単な抵抗分圧回路でその目的を達成することができる。
【００３１】
本発明が開示された以上、電流伝達率特性補償回路32が発光ダイオードLED に流すべき電流を可変にする回路自体も種々考えられようが、図示実施形態ではその望ましい一構成例が示されている。すなわち、発光ダイオードLED と並列に、スイッチング・トランジスタTiと抵抗ri（i=1，2，3，.....，n：nは１以上の整数）の直列回路がｎ個設けられていて、電流伝達率特性補償回路32は発光ダイオードLED に流す電流をその時に適当なる値になるように、それらｎ個のスイッチング・トランジスタT1〜Tnの中から選択された一つまたは複数をオンさせて、発光ダイオードLED に並列に入れる抵抗riを一つまたは複数選択することで、それらの抵抗値の合成抵抗値に応じた分流比で発光ダイオードLED に流れる電流をそれら抵抗群に分流することで低減可変するようになっている。
【００３２】
これに代えて、発光ダイオードLED と直列に設けてある抵抗26と並列にスイッチング・トランジスタTiと抵抗riの直列回路をｎ個設けるようにし、電流伝達率特性補償回路32は発光ダイオードLED に流す電流をその時に適当なる値になるように可変する時に、これらｎ個のスイッチング・トランジスタT1〜Tnの中から選択された一つまたは複数をそれまでのオン状態からオフさせるように構成しても良い。この場合には、全てのスイッチング・トランジスタTiがオンとなっているときが発光ダイオードLED に最も多く電流を流し得る状態であり、一つずつオフとする度に、発光素子LED と直列なままに残る抵抗ri群の合成抵抗値に応じて電流の制限比は変わり、発光ダイオードLED に許容する電流はその制限比に応じて低減される。
【００３３】
ここで、上記のｎ個の直列回路中の抵抗riは、それら全てが同じ値であっても良いし、そうではなく、その中の幾つかずつ、あるいは全てが互いに異なる抵抗値となっていても良い。全てが同じ値の場合には、単にオンにするかオフにするスイッチング・トランジスタTiの数に応じて整数倍の分流比ないし制限比変化が得られるようになり、幾つかずつ、ないし全てを異ならせた場合には、オンにするかオフにするスイッチング・トランジスタTiの数だけではなく、どれを、あるいはどの組み合わせを選んでオンないしオフにするかにより、より多様な変化幅での分流比ないし制限比を得ることもできる。もちろん、ｎの値が大きい程、より精緻な制御ができることは言うを俟たない。
【００３４】
さらにこの実施形態では、電流伝達率特性補償回路32は、フォト・カプラ22内の発光ダイオードLED に流す電流を可変する作業をしてもなお、検出される二次側直流電圧値が所定電圧値に対し許容範囲以上の差を置く場合には異常と判断するように構成されていて、異常が発生した場合にはこれを報知する異常報知回路35を設けている。異常報知はもちろん、図示していないが適当なる発音体を用いての可聴報知であっても良いし、適当なる発光手段や画面ディスプレイを用いての可視報知であっても良く、両者であっても良い。
【００３５】
また、望ましい構成として、さらに、図示の電流伝達率特性補償回路32は、フォト・カプラ22内の発光ダイオードLED に流す電流を可変する作業をしてもなお、検出される二次側直流電圧値が所定電圧値に対し許容範囲以上の差を置く場合には異常と判断し、そうした異常の発生を履歴として、例えばEEPROM34等により構成できる不揮発性メモリ34に記録するようになっている。
【００３６】
そのため、本発明に従い電流伝達率特性補償回路32による補償作業をしてもなお、二次側直流電圧値が所定電圧値に保ち得ないと言うことでフィードバック回路21の異常が検知された場合、それが致命的な回路の損傷によるものである場合でも、そうではなく、周囲温度の変化による一時的なものである場合にも、その異常検出判断は正確なものとなり、ユーザに修理の必要性を正しく認識させることができる。一方で、回路構成素子の重大ではない異常等に基づく二次側直流電圧値の変化にも対応できるので、ある程度の範囲ならばフィードバック回路21の異常時においても通常使用時とほとんど変わらずに利用できるように発光ダイオードLED に流す電流を可変制御できる可能性も高まり、サービスマンの修理を待つ間も不便を被らないで済むようになることもある。
【００３７】
サービスマンにしても、特に履歴を記録する不揮発性メモリ34が設けられている場合には、スイッチング電源回路の異常が一時的なものであるのか、また致命的なものであるのかを正確に知ることができ、異常が恒常的な場合については、何時異常が発生したのかの情報を得ることができる外、そこに至る異常履歴から故障部位を推測することもできる場合がある。いずれにしても機器のメンテナンス作業に大いに役立つことは間違いない。異常が発生した際の発光素子22への電流供給状況とか周囲温度等も併せて記録するようにしてももちろん良い。
【００３８】
以上、本発明の望ましい実施形態に即し説明したが、既に述べた通り、本発明は図示されているRCC電源回路以外のスイッチング電源回路にももちろん適用できる。また、図示の場合にはスイッチング・トランス一次巻線17aに選択的に供給される直流電流は商用交流電源11を整流回路12により整流した直流電源から得られるが、電源として電池等を用いるスイッチング電源回路にも適用できる。
【図面の簡単な説明】
【００３９】
【図１】本発明スイッチング電源回路の望ましい一実施形態の概略構成図である。
【符号の説明】
【００４０】
11  交流電源
12  整流回路
13  平滑コンデンサ
14，15  抵抗
16  スイッチング素子
17  スイッチング・トランス
17a スイッチング・トランス一次巻線
17b スイッチング・トランス二次巻線
17f スイッチング・トランス帰還巻線
18  帰還回路
19  整流回路
20  平滑コンデンサ
22  フォト・カプラ
23  スイッチング制御回路
24  制御トランジスタ
25  シャント・レギュレータ
26  抵抗
32  電流伝達率特性補償回路
34  不揮発性メモリ
35  異常報知回路
Ti  スイッチング・トランジスタ
ri  抵抗
LED フォト・カプラ内発光ダイオード（発光素子）
PT  フォト・カプラ内フォト・トランジスタ（受光素子）
【図１】
2007312556.tif 000003